(57)【要約】【課題】入力部と、情報を表示する表示部と、入力部を備える第１の筐体と、表示部を備える第２の筐体と、第１の筐体と第２の筐体との位置関係を変更可能に連結する連結部とを有する電子機器において、ユーザの利便性を向上させる。【解決手段】コンピュータ１００は、入力部３１０と、情報を表示する液晶ディスプレイ２１０（表示部）と、入力部３１０を備える第１の筐体と、液晶ディスプレイ２１０を備える第２の筐体と、第１の筐体と第２の筐体との位置関係を変更可能に連結するヒンジと、入力部への入力を有効とするか無効とするかをユーザが設定するためのホールドスイッチ３６０と、第１の筐体と第２の筐体との位置関係を検出する磁気センサ３５０と、入力部への入力を無効とするようにホールドスイッチ３６０で設定されている場合において、磁気センサ３５０の検出結果が第１の所定条件に一致したときは、ホールドスイッチ３６０での設定内容にかかわらず、入力部への入力を有効とさせるＣＰＵ１１０とを備える。【選択図】図１
2014052880.tif 000002
【特許請求の範囲】
【請求項１】
入力部と、
情報を表示する表示部と、
前記入力部を備える第１の筐体と、
前記表示部を備える第２の筐体と、
前記第１の筐体と前記第２の筐体との位置関係を変更可能に連結する連結部と、
前記入力部への入力を有効とするか無効とするかをユーザが設定するための設定部と、
前記第１の筐体と前記第２の筐体との位置関係を検出する位置関係検出部と、
前記入力部への入力を無効とするように前記設定部で設定されている場合において、前記位置関係検出部の検出結果が第１の所定条件に一致したときは、前記設定部での設定内容にかかわらず、前記入力部への入力を有効とさせる制御部とを備える、
電子機器。
【請求項２】
前記制御部は、前記設定部での設定内容にかかわらず、前記位置関係検出部の検出結果が第２の所定条件に一致したときは、前記入力部への入力を無効とする、
請求項１に記載の電子機器。
【請求項３】
前記第１の筐体と前記第２の筐体とは前記連結部により相対的に３６０度回転可能に連結され、
前記第１の筐体と前記第２の筐体とが重なった状態において、前記入力部が前記第２の筐体とは反対方向を向き、かつ前記表示部が前記第１の筐体とは反対方向を向くタブレット状態をとることが可能に構成されており、
前記位置関係検出部は、前記タブレット状態とそれ以外の状態とを少なくとも検出する、
請求項１に記載の電子機器。
【請求項４】
前記第１の筐体と前記第２の筐体との一方に磁石が備えられ、
前記位置関係検出部は、前記第１の筐体と前記第２の筐体との他方に備えられ、前記磁石による磁束の方向を検出する磁気センサである、
請求項３に記載の電子機器。
【請求項５】
前記磁石は、Ｎ極とＳ極とを結んだ方向が、前記タブレット状態からその他の状態へ遷移する際の前記第１の筐体と前記第２の筐体との相対的移動方向と略平行になるように配置されており、
前記磁気センサは、前記磁石に対して、前記磁石のＮ極とＳ極とを結んだ方向に直交する方向にオフセットして配置されている、
請求項４に記載の電子機器。
【請求項６】
前記設定部は、操作スイッチである、
請求項１に記載の電子機器。
【請求項７】
前記操作スイッチは、前記入力部と同一の面に配置されている、
請求項６に記載の電子機器。
【請求項８】
前記入力部は、左右の機能選択スイッチを含み、
前記操作スイッチは、前記左右の機能選択スイッチの間に配置されている、
請求項６に記載の電子機器。
【発明の詳細な説明】
【技術分野】
【０００１】
本開示は、入力部と、情報を表示する表示部と、入力部を備える第１の筐体と、表示部を備える第２の筐体と、第１の筐体と第２の筐体との位置関係を変更可能に連結する連結部とを有する電子機器に関する。
【背景技術】
【０００２】
特許文献１には、入力部と、情報を表示する表示部と、入力部を備える第１の筐体と、表示部を備える第２の筐体と、第１の筐体と第２の筐体との位置関係を変更可能に連結する連結部とを有するノートブックタイプのコンピュータが開示されている。このコンピュータでは、第１の筐体と第２の筐体との位置関係を変更することにより、ＰＣ状態とタブレット状態とをとることができる。このコンピュータでは、タブレット状態で利用する際、入力部への入力を操作スイッチにより無効にすることができる。これにより、誤入力を防ぐことができる。
【先行技術文献】
【特許文献】
【０００３】
【特許文献１】特開２００１−２４２９５３号公報
【発明の概要】
【発明が解決しようとする課題】
【０００４】
タブレット状態とする際に操作スイッチにより入力部への入力を無効に設定した場合、ＰＣ状態に戻す際に操作スイッチにより入力部への入力を有効とする必要があり、ユーザの利便性が損なわれる。
【０００５】
本開示は、入力部と、情報を表示する表示部と、入力部を備える第１の筐体と、表示部を備える第２の筐体と、第１の筐体と第２の筐体との位置関係を変更可能に連結する連結部とを有する電子機器であって、ユーザの利便性を向上させることができる電子機器を提供する。
【課題を解決するための手段】
【０００６】
上記課題を解決するために、本開示にかかる電子機器は、
入力部と、
情報を表示する表示部と、
入力部を備える第１の筐体と、
表示部を備える第２の筐体と、
第１の筐体と第２の筐体との位置関係を変更可能に連結する連結部と、
入力部への入力を有効とするか無効とするかをユーザが設定するための設定部と、
第１の筐体と第２の筐体との位置関係を検出する位置関係検出部と、
入力部への入力を無効とするように設定部で設定されている場合において、位置関係検出部の検出結果が第１の所定条件に一致したときは、設定部での設定内容にかかわらず、入力部への入力を有効とさせる制御部とを備える。
【発明の効果】
【０００７】
本開示によれば、入力部への入力を無効とするように設定部で設定されている場合でも、第１の筐体と第２の筐体との位置関係が第１の所定条件に一致したときは、設定部での設定内容にかかわらず、入力部への入力を有効とさせる。したがって、ユーザが設定部を再操作することなく、入力部への入力を有効とさせることができる。よって、入力部と、情報を表示する表示部と、入力部を備える第１の筐体と、表示部を備える第２の筐体と、第１の筐体と第２の筐体との位置関係を変更可能に連結する連結部とを有する電子機器において、ユーザの利便性を向上させることができる。
【図面の簡単な説明】
【０００８】
【図１】実施形態１に係るコンピュータのシステム構成を示すブロック図である。
【図２】実施形態１に係るコンピュータの斜視図（ＰＣ状態のとき）である。
【図３】実施形態１に係るコンピュータの斜視図（収納状態のとき）である。
【図４】実施形態１に係るコンピュータの斜視図（タブレット状態のときのキーボード側の面を示す図）である。
【図５】実施形態１に係るコンピュータの斜視図（タブレット状態のときの液晶ディスプレイ側の面を示す図）である。
【図６】実施形態１に係るコンピュータにおけるタブレット状態からＰＣ状態への変化を検出するための構成を説明するための図である。
【図７】実施形態１に係るコンピュータのキーボード等の無効化制御の一例を示すフローチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面及び以下の説明を提供するのであって、これらによって特許請求の範囲に記載の主題を限定することを意図するものではない。
【００１０】
（実施の形態１）
以下、図面を参照して、実施の形態１を説明する。
【００１１】
１−１．システム構成
図１は、実施形態１に係るコンピュータのシステム構成を示すブロック図である。このコンピュータ１００は、ＣＰＵ１１０、液晶ディスプレイ２１０、タッチパネル２２０、入力部３１０、メモリ３２０、ハードディスク３３０、外部インタフェース３４０、磁気センサ３５０、及びホールドスイッチ３６０を有する。
【００１２】
ＣＰＵ１１０は演算処理を行う。
【００１３】
ハードディスク３３０は、ＣＰＵ１１０で演算処理されるプログラム及びデータを記憶する。なお、ハードディスク３３０に代えて、フラッシュメモリ等を利用したソリッドステートディスク（ＳＳＤ）を用いてもよい。
【００１４】
メモリ３２０は、ＣＰＵ１１０で演算処理を行う際プログラムやデータを一時的に記憶する。
【００１５】
外部インタフェース３４０は、外部装置との間で信号を入力、出力するためのインタフェースである。外部インタフェース３４０は、例えば、ＵＳＢインタフェース、ＬＡＮインタフェースを含む。
【００１６】
磁気センサ３５０は、磁束の方向を検出する。
【００１７】
液晶ディスプレイ２１０は、ＣＰＵ１１０から出力される映像データに基づく映像を表示する。
【００１８】
タッチパネル２２０は、平面状のポインティングデバイスである。タッチパネル２２０は、液晶ディスプレイ２１０の表示面に重ねて設けられ、ユーザによりタッチされた位置に関する信号を出力する。
【００１９】
入力部３１０は、キーボード３１１、左ボタン３１２、右ボタン３１３、及びトラックパッド３１４を有する。
【００２０】
キーボード３１１は、ユーザが文字情報等をコンピュータ１００に入力するためのインタフェースである。キーボード３１１は、複数のキーを有し、操作されたキーに対応する信号を出力する。
【００２１】
左ボタン３１２及び右ボタン３１３は、例えば押しボタン式のスイッチである。左ボタン３１２及び右ボタン３１３は、例えば機能選択や機能実行用のスイッチである。
【００２２】
トラックパッド３１４は、平面状のポインティングデバイスであり、ユーザによりタッチされた位置に関する信号を出力する。
【００２３】
ホールドスイッチ３６０は、例えば押しボタン式のスイッチである。ホールドスイッチ３６０は、入力部３１０と同一の面に配置されている。ホールドスイッチ３６０は、左ボタン３１２と右ボタン３１３の間に配置されている。
【００２４】
１−２．構造
図２は、実施形態１に係るコンピュータの斜視図（ＰＣ状態（後述する）のとき）である。コンピュータ１００は、第１の筐体３００と、第２の筐体２００とを有する。
【００２５】
第１の筐体３００には、液晶ディスプレイ２１０及びタッチパネル２２０が備えられている。また、第１の筐体３００には、磁石２３０が内蔵されている。
【００２６】
第２の筐体２００には、入力部３１０、ホールドスイッチ３６０、及び外部インタフェース３４０が備えられている。また、第２の筐体２００には、ＣＰＵ１１０、メモリ３２０、ハードディスク３３０、磁気センサ３５０が内蔵されている。キーボード３１１は複数のキーを備えているが、図２では記載を省略している。後述する図３、図４、図５において同じ。
【００２７】
第１の筐体３００と第２の筐体２００とはヒンジ４００により連結されている。ヒンジ４００は、第１の筐体３００と第２の筐体２００とを相対的に３６０度回転可能なように支持する。
【００２８】
図３は、実施形態１に係るコンピュータの斜視図（収納状態（後述する）のとき）である。図４は、実施形態１に係るコンピュータの斜視図（タブレット状態（後述する）のときのキーボード側の面を示す図）である。図５は、実施形態１に係るコンピュータの斜視図（タブレット状態のときのディスプレイ側の面を示す図）である。
【００２９】
ヒンジ４００が、第１の筐体３００と第２の筐体２００とを３６０度回転可能なように構成されていることにより、コンピュータ１００は、図３に示す収納状態、図４、図５に示すタブレット状態を取り得る。なお、収納状態とは、第１の筐体３００と第２の筐体２００とが重なった状態において、入力部３１０が第２の筐体２００の方向を向き、かつ液晶ディスプレイ２１０が第１の筐体３００の方向を向く状態である。タブレット状態とは、第１の筐体３００と第２の筐体２００とが重なった状態において、入力部３１０が第２の筐体２００とは反対の方向を向き、かつ液晶ディスプレイ２１０が第１の筐体３００とは反対の方向を向く状態である。ＰＣ状態とは、図２に示すように、第１の筐体３００における入力部３１０側の面と第２の筐体２００における液晶ディスプレイ２１０側の面とが例えば１２０度程度の角度をなす状態である。
【００３０】
このように、本実施形態のコンピュータ１００は、ＰＣ状態とすることにより、キーボード等の入力部からの入力が可能なノートブックタイプ（ラップトップタイプ）のコンピュータとして利用することが可能である。また、タブレット状態とすることにより、タッチパネルからの入力が可能なタブレットとして利用することが可能である。なお、ＰＣ状態においてキーボードだけでなくタッチパネルからの入力についても可能としてもよい
【００３１】
１−３．動作
図１を参照してコンピュータ１００の動作について説明する。ＣＰＵ１１０は、ハードディスク３３０に記憶されているプログラムや種々のデータを読み込み、当該プログラム及びデータ、並びにタッチパネル２２０、入力部３１０、外部インタフェース３４０、及び磁気センサ３５０等からの信号に基づき、演算処理を行う。
【００３２】
本実施形態のように、コンピュータ１００を構成する第１の筐体３００と第２の筐体２００とをヒンジ４００を中心として相対的に３６０度回転可能に構成した場合、ユーザが第１の筐体３００と第２の筐体２００とを相対的に回転させる際、キーボード３１１やトラックパッド３１４に触れてしまう場合がある。この場合、コンピュータ１００においてユーザの意図しない機能が作動する虞がある。これに対処するため、本実施形態では、前述のホールドスイッチ３６０を設けている。
【００３３】
また、ＣＰＵ１１０は、ホールドスイッチ３６０が押される毎に、ホールド設定のＯＮと、ホールド設定のＯＦＦ（解除）とを交互に行う。ホールド設定がＯＮの場合、入力部３１０のキーボード３１１及びトラックパッド３１４並びにタッチパネル２２０から信号が出力されあるいは左ボタン３１２及び右ボタン３１３が押された場合でも、ＣＰＵ１１０は、これらに対応する処理を行わない。つまり、入力部３１０のキーボード３１１、左ボタン３１２、右ボタン３１３、及びトラックパッド３１４への入力を無効とする。
【００３４】
つまり、ＣＰＵ１１０は、磁気センサ３５０からの信号に基づいて、コンピュータ１００が現在ＰＣ状態にあるか、タブレット状態にあるか、タブレット状態からＰＣ状態に変化したところかを判定する。そして、その判定結果に応じて、ＣＰＵ１１０は、入力部３１０のキーボード３１１、左ボタン３１２、右ボタン３１３、及びトラックパッド３１４への入力を有効または無効とする。
【００３５】
具体的には、ＣＰＵ１１０は、磁気センサ３５０からの信号に基づいて、コンピュータ１００がＰＣ状態にあると判定したときは、さらにホールド設定がＯＮであるか判定する。そして、ホールド設定がＯＮであると判定したときは、ＣＰＵ１１０は、入力部３１０のキーボード３１１、左ボタン３１２、右ボタン３１３、及びトラックパッド３１４への入力を無効とする。これに対し、ホールド設定がＯＮでないと判定したときは、ＣＰＵ１１０は、入力部３１０のキーボード３１１、左ボタン３１２、右ボタン３１３、及びトラックパッド３１４への入力を有効とする。
【００３６】
一方、コンピュータ１００がタブレット状態にあると判定したときは、ホールド設定がＯＮであるか否かにかかわらず、ＣＰＵ１１０は、入力部３１０のキーボード３１１、左ボタン３１２、右ボタン３１３、及びトラックパッド３１４への入力を無効とする。したがって、ユーザがホールド設定をＯＮに設定しなかった場合、あるいは設定し忘れた場合でも、入力部３１０のキーボード３１１、左ボタン３１２、右ボタン３１３、及びトラックパッド３１４への入力を無効とすることができる。タブレット状態では、コンピュータ１００を使用する際入力部３１０が下方を向く。そのため、テーブル等へ載置する場合を考慮して、入力部３１０への入力を無効とする必要がある。本実施形態によれば、無効化を強制的に行うことができる。また、ホールドスイッチ３６０によりホールド設定をＯＮに設定している場合、ホールドスイッチ３６０と磁気センサ３５０とで二重に入力部への入力を無効とすることができる。
【００３７】
また、コンピュータ１００がタブレット状態からＰＣ状態に変化したところであると判定したときは、ホールド設定がＯＮであるか否かにかかわらず、ＣＰＵ１１０は、入力部３１０のキーボード３１１、左ボタン３１２、右ボタン３１３、及びトラックパッド３１４への入力を有効とする。有効化は、タブレット状態からＰＣ状態に変化したところであると判定してから所定時間後に行う。所定時間は、例えば、タブレット状態からＰＣ状態へのコンピュータ１００の変形に要する一般的な時間を設定すればよい。所定時間は例えば２秒である。所定時間以下であると、変形途中で有効化が行われ、意図しない機能が働く虞がある。逆に、所定時間より長いと、有効化されるまでユーザが待たされることとなり、利便性が低下する。上述のように所定時間に設定することにより、意図しない機能が働くのを防止しつつ、変形後速やかに入力部３１０による入力を行うことができる。
【００３８】
本実施形態のコンピュータ１００では、コンピュータ１００がタブレット状態からＰＣ状態に変化したときに、ＣＰＵ１１０は、入力部３１０のキーボード３１１、左ボタン３１２、右ボタン３１３、及びトラックパッド３１４への入力の無効状態を自動的に解除して有効とする。
【００３９】
図６は、実施形態１に係るコンピュータにおけるタブレット状態からＰＣ状態への変化を検出するための構成を説明するための図である。
【００４０】
本実施形態のコンピュータ１００においては、コンピュータ１００のタブレット状態からＰＣ状態への変化の検出を、磁石２３０からの磁束の方向の変化を磁気センサ３５０で検出することにより行う。ところで、磁気センサ３５０を磁石２３０のＳ極とＮ極を結んだ線上に配置した場合、ヒンジ４００を中心として第１の筐体３００を図６に矢印Ｙで示すように回転させた際磁束の変化が生じにくくなる。そのため、本実施形態のコンピュータ１００では、磁石２３０及び磁気センサ３５０を、タブレット状態からＰＣ状態へ変形させたときにおける磁石２３０からの磁束の方向の変化を磁気センサ３５０が検出しやすい位置に配置する。具体的に、磁気センサ３５０を、磁石２３０に対して、磁石２３０のＮ極とＳ極とを結んだ方向に直交する方向にオフセットして配置する。より具体的には、磁気センサ３５０の位置における磁石２３０からの磁束の方向が、磁石２３０のＳ極とＮ極を結んだ方向に対して、矢印Ｚで示すようにほぼ直交することとなるように配置する。このように配置することにより、タブレット状態からＰＣ状態への変化の検出の精度が向上する。このように配置することにより、磁気センサ３５０における磁石２３０からの磁束の方向の変化が大きくなり、磁石２３０からの磁束の方向の変化を検出しやすくなる。
【００４１】
図７は、実施形態１に係るコンピュータのキーボード等の無効化制御の一例を示すフローチャートである。
【００４２】
ＣＰＵ１１０は、コンピュータ１００が現在ＰＣ状態にあるか、タブレット状態にあるか、タブレット状態からＰＣ状態に変化したところであるかを判定する（Ｓ１１０）。
【００４３】
ステップＳ１１０でＰＣ状態にあると判定したときは、ＣＰＵ１１０は、ホールド設定がＯＮであるか判定する（Ｓ１２０）。
【００４４】
ステップＳ１２０でホールド設定がＯＮであると判定したときは、ＣＰＵ１１０は、入力部３１０のキーボード３１１、左ボタン３１２、右ボタン３１３、及びトラックパッド３１４への入力を無効とする。
【００４５】
これに対し、ステップＳ１２０でホールド設定がＯＮでないと判定したときは、ＣＰＵ１１０は、入力部３１０のキーボード３１１、左ボタン３１２、右ボタン３１３、及びトラックパッド３１４への入力を有効とする。
【００４６】
ステップＳ１１０でタブレット状態にあると判定したときは、ホールド設定がＯＮであるか否かにかかわらず、ＣＰＵ１１０は、入力部３１０のキーボード３１１、左ボタン３１２、右ボタン３１３、及びトラックパッド３１４への入力を無効とする（Ｓ１４０）。
【００４７】
ステップＳ１１０でタブレット状態からＰＣ状態に変化したところであると判定したときは、ホールド設定がＯＮであるか否かにかかわらず、ＣＰＵ１１０は、入力部３１０のキーボード３１１、左ボタン３１２、右ボタン３１３、及びトラックパッド３１４への入力を有効とする（Ｓ１５０）。
【００４８】
１−４．効果等
本実施形態のコンピュータ１００は、
入力部３１０と、
情報を表示する液晶ディスプレイ２１０（表示部）と、
入力部３１０を備える第１の筐体３００と、
液晶ディスプレイ２１０（表示部）を備える第２の筐体２００と、
第１の筐体３００と第２の筐体２００との位置関係を変更可能に連結するヒンジ４００（連結部）と、
入力部への入力を有効とするか無効とするかをユーザが設定するためのホールドスイッチ３６０（設定部）と、
第１の筐体３００と第２の筐体２００との位置関係を検出する磁気センサ３５０（位置関係検出部）と、
入力部への入力を無効とするようにホールドスイッチ３６０で設定されている場合において、磁気センサ３５０の検出結果が第１の所定条件に一致したときは、ホールドスイッチ３６０での設定内容にかかわらず、入力部への入力を有効とさせるＣＰＵ１１０（制御部）とを備える。
【００４９】
これにより、入力部への入力を無効とするようにホールドスイッチ３６０で設定されている場合においても、第１の筐体３００と第２の筐体２００との位置関係が第１の所定条件に一致したときは、ホールドスイッチ３６０での設定内容にかかわらず、入力部への入力を有効とさせる。したがって、ユーザがホールドスイッチ３６０を再操作することなく、入力部への入力を有効とさせることができる。よって、ＰＣ状態とタブレット状態とを切り替えて利用可能なコンピュータ１００（電子機器）において、ユーザの利便性を向上させることができる。
【００５０】
また、本実施形態のコンピュータ１００において、
ＣＰＵ１１０は、ホールドスイッチ３６０の設定内容にかかわらず、磁気センサ３５０の検出結果が第２の所定条件に一致したときは、入力部への入力を無効とする。
【００５１】
これにより、入力部への入力を無効とするようにホールドスイッチ３６０でユーザが設定し忘れた場合でも、入力部への入力を無効とすることができる。
【００５２】
また、本実施形態のコンピュータ１００において、
第１の筐体３００と第２の筐体２００とは、ヒンジ４００により相対的に３６０度回転可能に構成され、
第１の筐体３００と第２の筐体２００とが重なった状態において、入力部３１０が第２の筐体２００とは反対方向を向き、かつ液晶ディスプレイ２１０が第１の筐体３００とは反対方向を向くタブレット状態をとることが可能に構成されており、
磁気センサ３５０は、タブレット状態とそれ以外の状態とを少なくとも検出する。
【００５３】
これにより、タブレット状態とそれ以外の状態に応じた制御が可能となる。
【００５４】
また、本実施形態のコンピュータ１００において、
第１の筐体３００と第２の筐体２００との一方に磁石２３０が備えられ、
位置関係検出部３５０は、第１の筐体３００と第２の筐体２００との他方に備えられ、磁石２３０による磁束の方向を検出する磁気センサである。
【００５５】
これにより、第１の筐体３００と第２の筐体２００との位置関係を簡易な構成で検出することができる。
【００５６】
また、本実施形態のコンピュータ１００において、
磁石２３０は、Ｎ極とＳ極とを結んだ方向が、タブレット状態からその他の状態へ遷移する際の第１の筐体３００と第２の筐体２００との相対的移動方向と略平行になるように配置されており、
磁気センサ３５０は、磁石２３０に対して、磁石２３０のＮ極とＳ極とを結んだ方向に直交する方向にオフセットして配置されている。
【００５７】
これにより、磁束の方向の変化を効率的に検出することができる。本実施形態では、磁石２３０は、Ｎ極とＳ極とを結んだ方向が、タブレット状態からその他の状態へ遷移する際の第１の筐体３００と第２の筐体２００との相対的移動方向と略平行になるように配置されている。このとき、磁石のＮ極とＳ極及びその近傍では、磁束の方向は磁石のＮ極とＳ極と略平行な方向となる。このような場合において、磁気センサ３５０を磁石のＮ極とＳ極を結んだ線上またはその近傍に配置すると、第１の筐体３００と第２の筐体２００とを相対的に回転させたときに、磁気センサ３５０が磁石２３０に対して磁石のＮ極とＳ極を結んだ方向に移動することとなり、磁気センサ３５０の位置において磁束の方向の変化が生じにくくなる。そのため、第１の筐体３００と第２の筐体２００との位置関係の変化を検出しにくい。そこで、本実施形態では、磁気センサ３５０を、磁石２３０に対して、磁石２３０のＮ極とＳ極とを結んだ方向に直交する方向にオフセットして配置する。これにより、第１の筐体３００と第２の筐体２００とを相対的に移動させたときに、磁気センサ３５０において磁束の方向の変化が生じ易くなる。したがって、タブレット状態からその他の状態への変化を検出しやすくなる。
【００５８】
また、本実施形態のコンピュータ１００において、
設定部３６０は、ホールドスイッチ（操作スイッチ）である。
【００５９】
これにより、設定部３６０を簡易に構成することができる。
【００６０】
また、本実施形態のコンピュータ１００において、
ホールドスイッチ３６０は、入力部３１０と同一の面に配置されている。
【００６１】
これにより、ホールドスイッチ３６０を容易に操作することができる。
【００６２】
また、本実施形態のコンピュータ１００において、
ホールドスイッチ３６０は、左ボタン３１及び右ボタン３１３（左右の機能選択スイッチ）の間に配置されている。
【００６３】
これにより、ホールドスイッチ３６０の操作性が向上する。
【００６４】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００６５】
本実施形態では、ＣＰＵ１１０は、ステップＳ１２０でホールド設定がＯＮであると判定したときは、入力部３１０のキーボード３１１、左ボタン３１２、右ボタン３１３、及びトラックパッド３１４への入力を無効とするように判断した。しかし、これに限られない。ホールド設定がＯＮである場合に無効とされる入力は、キーボード３１１、左ボタン３１２、右ボタン３１３、及びトラックパッド３１４への入力の一部としてもよい。つまり、「入力部への入力を無効にする」とは、コンピュータ１００の有する入力部の一部を無効にすることを含む。例えば、ホールド設定のＯＮによってトラックパッド３１４のみの入力を無効にしても良い。このようにすると、ＰＣ状態においてキーボード３１１の入力を行う際にトラックパッドを誤って触れてしまうことによって生じる誤入力を防止できる。なお、この場合、ユーザは別途接続したマウス等によってトラックパッドと等価の操作を行う。このようにホールドスイッチ３６０は、コンピュータ１００をＰＣ状態とタブレット状態へ変形させる際の、入力部への誤入力を防止する機能だけでなく、ＰＣ状態における誤入力を防止させる機能をもつ。また、キーボード３１１、左ボタン３１２、右ボタン３１３、及びトラックパッド３１４への入力のうち、どの入力を無効にするかをユーザに設定させるようにしてもよい。具体的にはホールド設定によってどの入力を無効にするかを設定するソフトウェアを、メモリ３２０上に展開してユーザに設定可能なようにしてもよい。また、ホールド設定がＯＮであっても、どの入力も無効にしないようユーザに設定させるようにしてもよい。つまり、ホールド設定自体の有効無効をソフトウェア制御で切り替えられるようにしても良い。なお、ステップＳ１１０において、ＣＰＵ１１０は、コンピュータ１００がタブレット状態にあると判定したときは、ホールド設定がＯＮであるか否かにかかわらず、入力部３１０への入力を無効としたが、当該無効動作も入力部への一部についてのみ無効とする動作を含む。
【００６６】
本実施形態では、ＣＰＵ１１０は、ステップＳ１１０でタブレット状態からＰＣ状態に変化したところであると判定したときは、ホールド設定がＯＮであるか否かにかかわらず、入力部３１０のキーボード３１１、左ボタン３１２、右ボタン３１３、及びトラックパッド３１４への入力を有効とした。しかし、これに限られない。コンピュータ１００がタブレット状態からＰＣ状態に変化した場合に、無効であった入力部への入力を有効へと自動的に切り替えてもよいし、所定の判断を経た上で入力部への入力を有効とするように切り替えても良い。ここで所定の判断とはコンピュータ１００がユーザから明示的に受け取る指示によってなされる判断を含む。また、ホールド設定がＯＮであるか否かにかかわらず入力部の入力を有効にするモードと、ホールド設定がＯＮであれば当該ホールド設定によって無効化されている入力部を除いた入力部の一部への入力を有効にするモードとを、切り替え可能にコンピュータ１００を構成しても良い。
【００６７】
本実施形態では、位置関係検出部を磁気センサ３５０を用いて構成した。しかし、これに限らない。例えば、第１の筐体３００と第２の筐体２００との間の回転角を検出するセンサを用いてもよい。これにより、位置関係の変化を精度よく検出することができる。
【００６８】
本実施形態では、電子機器がコンピュータ１００である場合について説明した。しかし、これに限らない。本開示は、入力部と、情報を表示する表示部と、入力部を備える第１の筐体と、表示部を備える第２の筐体と、第１の筐体と第２の筐体との位置関係を変更可能に連結する連結部とを有する電子機器に広く適用可能である。例えば、電子手帳、電子ゲーム装置にも適用可能である。
【００６９】
本実施形態では、ホールドスイッチ３６０は、左ボタン３１２及び右ボタン３１３（左右の機能選択スイッチ）の間に配置されている。しかし、これに限らない。第１の筐体３００及び第２の筐体２００において、他の部品等と干渉しない限り、任意の位置に配置してもよい。
【００７０】
以上のように、本開示における技術の例示として、実施の形態を説明した。そのために、添付図面及び詳細な説明を提供した。
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更、置き換え、付加、省略などを行うことができる。
【産業上の利用可能性】
【００７１】
本開示は、入力部と、情報を表示する表示部と、入力部を備える第１の筐体と、表示部を備える第２の筐体と、第１の筐体と第２の筐体との位置関係を変更可能に連結する連結部とを有する電子機器であって、ユーザの利便性を向上させることができる電子機器に適用可能である。具体的に、コンピュータ、電子手帳、電子ゲーム装置などに本開示は適用可能である。
【符号の説明】
【００７２】
１００  コンピュータ
１１０  ＣＰＵ
２００  第２の筐体
２１０  液晶ディスプレイ
２２０  タッチパネル
３００  第１の筐体
３１０  入力部
３１１  キーボード
３１２  左ボタン
３１３  右ボタン
３１４  トラックパッド
３２０  メモリ
３３０  ハードディスク
３４０  外部インタフェース
３５０  磁気センサ
３６０  ホールドスイッチ
４００  ヒンジ
【図１】
2014052880.tif 000003
【図２】
2014052880.tif 000004
【図３】
2014052880.tif 000005
【図４】
2014052880.tif 000006
【図５】
2014052880.tif 000007
【図６】
2014052880.tif 000008
【図７】
2014052880.tif 000009